(57)【要約】【課題】  画像位置調整用のマークを印字してあるテストパターンを記録シートの表裏にプリントし、その出力紙の片面のみを読み取ることにより、表裏のマークの位置のずれの検出し、両面印字のずれをなくすように調整を行う際に、記録シートの裏面のマークを確実に検出する。【解決手段】  位置調整用のテストパターンが形成された記録シートの表側から裏面のテストパターンを透かして読み取るときの光量を調整し、裏面のテストパターンの濃度レベルが所定値になるまで光量を増加させて読取を行う。【選択図】  図４
2008275991.tif 000002
【特許請求の範囲】
【請求項１】
記録シートの表裏に画像形成する画像形成装置において、
記録シートに像形成する像形成手段と、
前記像形成手段により記録シートの表裏のそれぞれの所定位置に所定のマークを形成させるマーク形成制御手段と、
前記マークが形成された記録シートの表裏の一方の面側から光を照射して前記記録シートを読み取る読取手段と、
前記読取手段により読み取られた記録シートの前記一方の面のマーク及び前記一方の面側から透かして読み取られる他方の面のマークを検出する検出手段と、
前記検出手段により検出された表裏のマークの位置を一致させるための前記像形成手段の調整値を決定する位置調整手段と、
前記他方の面のマークを検出するための前記読取手段の光量を調整する光量調整手段と、
を有することを特徴とする画像形成装置。
【請求項２】
前記光量調整手段は、前記読取手段で前記他方の面のマークを読み取った際の濃度レベルが所定値以上になる様に前記読取手段の光量を調整することを特徴とする請求項１記載の画像形成装置。
【請求項３】
前記マーク形成制御手段は、前記記録シートの他方の面のマークとは異なる位置に別のマークを更に形成させ、
前記光量調整手段は、前記検出手段で前記別のマークを検出できる様に前記読取手段の光量を調整し、
前記検出手段が前記一方の面のマーク及び前記別のマークを検出し、前記他方の面のマークを検出できない場合、前記一方の面のマークと他方の面のマークの位置が一致していると判断することを特徴とする請求項１記載の画像形成装置。
【請求項４】
前記光量調整手段により光量を調整しても前記検出手段が前記別のマークを検出できない場合、別の記録シートのセットを促す表示を行うことを特徴とする請求項３記載の画像形成装置。
【請求項５】
前記記録シートを収納し、収納した記録シートを給送する複数の給送手段を有し、
前記複数の給送手段の中から坪量が一番小さい記録シートを収納した給送手段を選択する選択手段と、
を更に有することを特徴とする請求項１記載の画像形成装置。
【請求項６】
前記選択手段により選択された給送手段に収納されている記録シートの坪量が所定値を超えている場合、別の記録シートをセットすることを促す表示を行うことを特徴とする請求項５記載の画像形成装置。
【発明の詳細な説明】
【技術分野】
【０００１】
本発明は両面画像形成の際の記録シートの表裏位置ずれを解消する画像形成装置に関する。
【背景技術】
【０００２】
複写機、プリンタなど（以下、これらを総称して「画像形成装置」と呼ぶ）では、記録シート（以下シートと称す）の両面に画像形成する機能を備えたものがある。
【０００３】
このような両面画像形成機能を備えた画像形成装置で、両面画像形成時に表面と裏面とで所定の画像が同じ位置に形成されることを意図して画像形成を実行することがある。
【０００４】
しかし、操作者の意図に反して、シートの表面と裏面とで所定の画像が若干ずれた位置に形成されることがある。
【０００５】
このようなずれを解消するために、画像位置調整用のマークをシートの表裏の所定位置に印字し、そのシートを画像形成装置の読取装置で読み取り、表裏のマークの位置のずれの量を検出し、両面印字のずれをなくすように調整を行う画像形成装置が考案されている（特許文献１参照）。
【特許文献１】特開２００３−１７３１０９号公報
【発明の開示】
【発明が解決しようとする課題】
【０００６】
しかしながら、この特許文献１では、シートの裏側のマークはシートの表側を読み取った時の裏写りを読み取っている。さらに表と裏のマークの識別は、読み込まれたマークの濃度差に基づいて行っている。位置調整用のテストパターンを印字するシートとして、特に厚紙を用いた場合、裏写り状態が悪く、裏面のマークの位置の検出が困難な場合がある。特許文献１では、マーク位置を含む範囲にアルコール，油などを含ませることにより、裏写りの状態を改善している。
【０００７】
しかし、アルコール，油などを含ませることにより紙が変形し、正確な検出ができなくなったり、シートにアルコール等を染み込ませる作業が発生し、手間がかかる。
【０００８】
本発明は、以上の課題に鑑みてなされたものであって、シートの裏写り状態が悪くても、容易に表裏の画像形成位置の調整を行うことが可能な画像形成装置を実現することを目的とする。
【課題を解決するための手段】
【０００９】
上記目的を達成するために、本発明の画像形成装置は、記録シートの表裏に画像形成可能な画像形成装置において、記録シートに像形成する像形成手段と、前記像形成手段により記録シートの表裏のそれぞれの所定位置に所定のマークを形成させるマーク形成制御手段と、前記マークが形成された記録シートの表裏の一方の面側から光を照射して前記記録シートを読み取る読取手段と、前記読取手段により読み取られた記録シートの前記一方の面のマーク及び前記一方の面側から透かして読み取られる他方の面のマークを検出する検出手段と、前記検出手段により検出された表裏のマークの位置を一致させるための前記像形成手段の調整値を決定する位置調整手段と、前記他方の面のマークを検出するための前記読取手段の光量を調整する光量調整手段と、を特徴とする。
【発明の効果】
【００１０】
本発明によれば、厚紙の両面に画像形成を行うことを想定した場合に、実際に両面画像形成を行う記録シートと同じ種類の記録シートで表裏の画像位置を一致させる調整を容易に行うことができ、位置調整の精度を向上させることができる。
【００１１】
また、本発明によれば、表裏の位置調整に適した記録シートを自動選択できるので、操作性が向上し、位置調整の精度も向上する。
【発明を実施するための最良の形態】
【００１２】
（第１の実施の形態）
以下、図面を参照して本発明の実施の形態を詳細に説明する。
【００１３】
まず、図１は画像形成装置の機械的構成を示す断面図である。なお、ここでは、原稿の画像を読み取って画像形成する複写機としての画像形成装置を具体例として用いる。
【００１４】
この図１において、１０は自動原稿給送装置（以下、ＡＤＦと言う）であり、原稿の両面を読み取るための原稿搬送を行う。２０は原稿の画像を読み取って画像データを生成する画像読取部（スキャナ）である。７０は画像データを電子写真方式によりシートＰ上に記録する画像形成部である。
【００１５】
ＡＤＦ１０の原稿載置部１１には、原稿第１頁の表面を上にした状態の原稿ｄが複数枚載置されている。原稿束の上からローラ１２ａ、ローラ１２ｂにより１枚ずつ原稿が繰り出され、露光位置である第２のプラテンガラス２２へ搬送される。
【００１６】
この時、第２のプラテンガラス２２下に光源２３とミラー２４とが移動して停止された状態（図の破線の状態）となっており、搬送中の原稿の読み取りを行う。光源２３により原稿ｄの原稿面が照射され、その反射光がミラー２４，２５，２６を介して結像光学系２７を介して光電変換手段であるＣＣＤ２８の受光面に結像される。ここで、光源２３、ミラー２４，２５，２６、結像光学系２７及びＣＣＤ２８を有する光学系、並びに、図示されていない光学系駆動手段とで画像読み取り部２０を構成している。
【００１７】
読み取られた原稿ｄの画像データは、ＣＣＤ２８から図示しない読み取り画像処理部に送られる。
【００１８】
なお、原稿ｄがプラテンガラス２１上に読み取り面を下に向けた状態に載置された場合には、光学系はプラテンガラス２１に沿って走査して読み取りを行う。
【００１９】
７０は画像形成部である。この画像形成部７０は、４つの画像形成ステーションを有するレーザビームプリンタで構成される。
【００２０】
Ｐｋ，ＰＹ，Ｐｃ，Ｐｍは画像形成ステーションであり、それぞれ潜像担持体たる感光ドラムの周囲に画像形成手段を有して構成され、マゼンタ、シアン、イエロー、ブラックの４色に対応している。各ステーションにて形成された感光ドラム上のトナー像が、この感光ドラムに対向して移動する転写ベルト４９ａにより搬送される記録材上に転写される構成となっている。
【００２１】
５０はシートを収納し、収納したシートを給送する給紙カセットである。５５は転写ベルトからシートを分離するための分離部、５８はシートを搬送する搬送ベルト、５１はシート上のトナーを定着する定着器である。
【００２２】
図２はブラックの画像形成ステーション４Ｋの詳細を示す断面図である。なお、４つの画像形成ステーションの構成は同じなので、ブラックの画像形成ステーションＰｋを代表して説明し、他の像形成ステーションの説明は省略する。
【００２３】
図の矢印方向（時計方向）に回転する潜像担持体たる感光ドラム４Ｋが配設されている。４４Ｋは電荷除去部材たる一次前露光ランプ、４６Ｋは帯電手段たる一次帯電器、４６Ｋは露光手段たる光走査手段としての走査光学装置、５３Ｋは感光ドラム４Ｋの表面電位測定手段としての表面電位サンサである。９Ｋは現像手段たる現像装置、４８Ｋは残留現像剤除去手段たるブレード方式のクリーニング器、５４Ｋは感光ドラム上のトナー像の画像濃度を検知する画像濃度検知器である。
【００２４】
更に、４９Ｋは感光ドラム４Ｋに形成されたトナー像をシートに転写させるための転写手段としての転写ブレードである。この転写ブレード４９Ｋは導電性であり、定電流制御された転写電流が印加されることによりトナーがシートに転写される。
【００２５】
記録材Ｐは、給紙カセット５０から転写ベルト４９ａ上に供給され、転写工程が終了すると転写ベルト４９ａから分離され、定着器５１を経てトレイ（図示せず）に排出される。
【００２６】
なお、必要に応じて、トナー像が定着されたシートＰは、ガイド６１を介して下方に搬送され、反転搬送路６３に搬送される。次に、反転搬送路６３に搬送されたシートは、反転ローラ６２によりスイッチバック搬送されることにより表裏反転されて両面搬送路６４を経由して再度画像形成部７０に送られる。画像形成部７０では、感光体ドラム４Ｍ，４Ｃ，４Ｙ，４Ｋに付着したトナーがクリーニング部４８Ｍ，４８Ｃ，４８Ｙ，４８Ｋで除去され、続く一次帯電部４６Ｍ，４６Ｃ，４６Ｙ，４６Ｋにより帯電させられ、次の画像形成に備えている。
【００２７】
この状態でシートＰのもう一方の面（未だ画像形成されていない面）が画像形成部７０に搬送され、画像が形成される。分離部５５で転写ベルト４９ａから分離されたシートＰは搬送ベルト５８で再度定着部５１へ搬送され定着される。この後シートＰは排出される。
【００２８】
図３は画像形成装置の電気的な構成を示すブロック図である。
【００２９】
画像形成装置１００において、１０１は各部を制御する制御手段としての全体制御部、１０３は各種の指示の入力や各種表示を行う操作表示部、１０４は原稿画像を読み取って画像データを生成する読取手段としてのスキャナである。１０５は画像形成装置１００の各種データや設定値、更に後述の位置調整用のマークや濃度検知要のマークのデータを蓄積しておくための不揮発性メモリである。１０７は画像形成する際の画像データの展開や各種データの一時的な保管を行うための画像メモリである。１０８は画像をシート上に形成して出力するプリントエンジンで、図１及び図２で説明した部分を含む。
【００３０】
全体制御部１０１は、画像形成に関する全体的な制御ならびにシートの両面の所定の位置に像形成位置調整のためのマークをシートの両面に形成させるマーク形成制御手段としての機能を有する制御部１０１ａを有している。また、制御部１０１ａはシートに形成されたマークをスキャナ１０４で読み取る際の光量を調整する光量調整手段としての機能も有する。全体制御部１０１は更に、画像処理部１０１ｂ、マーク検出部１０１ｃ、表裏位置ずれ検出部１０１ｄ、表裏ずれ調整部１０１ｅを有している。
【００３１】
マーク検出部１０１ｃは、シートの表裏に形成されたマークをスキャナ１０４で読み取って得た画像データからシートの表裏のマーク及びその位置を検出する。表裏位置ずれ検出部１０１ｄは、検出されたシートの表のマークと裏のマークとの位置ずれ量を検出する。表裏ずれ調整部１０１ｅは、検出されたシートの表裏のマーク位置のずれ量に基づいて表裏のマークの位置を一致させるための調整値を算出する。なお、表裏ずれ調整部１０１ｅで生成された調整値は不揮発性メモリ１０５に保持される。
【００３２】
以上のような画像形成装置において、図４のフローチャートを参照して動作説明を行う。なお、このフローチャートに示した処理は全体制御部１０１により実行される。
【００３３】
まず、全体制御部１０１は、操作表示部１０３から両面画像形成時の表裏の位置ずれを調整する調整モードが選択されたか否かを判断する（Ｓ１）。調整モードが選択されなかった場合は処理を終了する。
【００３４】
ステップＳ１で調整モードが選択された場合、全体制御部１０１は、不揮発性メモリ１０６から位置調整用のマークのデータを読み出し、シートの表裏ぞれぞれの所定の位置に位置調整用のマークを像形成するよう制御する（Ｓ２）。この位置調整用のマークが形成されたシートを図５に示す。なお、マークについては、シートの表裏位置ずれを検出できればよいので、丸，長方形，十字など各種形状でよいが、認識のしやすさの点では十字の形状が望ましい。本実施形態では十字形状のマークを採用している。また、位置調整用のマークは、表裏とも同じ濃度で、画像形成部で設定されている最大濃度で形成されるものとする。
【００３５】
位置調整用のマークが形成される位置は、シート上での画像形成の位置ずれが無いと仮定した場合に、紙面を挟んで同じ位置である。即ち、シートの一方の面（表面）側から他方の面（裏面）の画像を透かしてみたときに、表側の画像と裏側の画像とが完全に重なって見える位置である。たとえば、図５（ａ）に示すように、シートの第１面（表面）の四隅の位置に位置調整用のマークを付す。また、図５（ｂ）に示すように、シートの第２面（裏面）の四隅の位置にも同じ形状・大きさ・濃度の位置調整用のマークを付す。
【００３６】
以上のようにシートの両面にマークが形成されたシートをユーザがスキャナ１０４にセットする。なお、このときシートの表面に形成されたマークを読み取れるような向きでシートをセットするものとする。全体制御部１０１は、読取指示が入力されると、基準の光量（例えば通常のコピー時の原稿露光光量）でスキャンを実行してシートのマークを読み取る（Ｓ３）。
【００３７】
このように所定の位置にマークが形成されたシートを第１面（最初に画像を形成した面）側から観察した場合に、両面画像形成で表裏位置ずれが発生しているとすると、第２面のマークが透けて読み取られる（裏写り）ことで、図６のような状態になる。なお、以上の裏写りしているマークの部分の様子を拡大して示すと、図７のようになる。
【００３８】
ここで、濃いマークはシートの一方の面（ここでは、表である第１面）に付されたマークを示し、薄いマークはシートの他方の面（ここでは、裏である第２面）に付されたマークが第１面側から透かして見えている（これを「裏写り」と呼ぶ）状態を示している。
【００３９】
このような状態のシートの第１面をスキャナ１０４で読み取った場合、読み取った画像の濃度レベルの違いにより、読取面（観察面）のマークと、その裏面のマークとを識別することが可能である。すなわち、表側のマークの濃度レベルは、図８の左側に示すようになり、裏側のマークの濃度レベルは右側に示すように表側のマークよりも低くなる。実線と破線は、後述する様にシートを読み取るときの光量の違いを表わす。２５６段階の濃度レベルで言えば、表側のマークの濃度レベルのピークはほぼ最大の２５５レベルに近いものとなり、裏側のマークの濃度レベルのピークは、シートの坪量によって異なるが、表側に比べて低いレベルとなる。例えば、本実施形態においては、表側のマークのピークレベルは、２２０レベル以上となり、また、裏側のマークのピークレベルは、坪量の低い薄紙を用いた場合でも、２００レベル以下であった。このような濃度のピークレベルの差によって、表と裏のマークを識別することが可能である。
【００４０】
ところで、上述したマークの識別において、シートの材質により裏写り状態が悪く、表面からの裏面のマークの検出が困難な場合がある。特に、厚紙を調整モードで使用した場合には、図８の実線に示すように裏写り状態が悪く、読み取った裏側のマークの濃度レベルが十分上がらず、ピーク位置の検出が困難な場合がある。
【００４１】
そこで、全体制御部１０１は、読み取った画像を画像メモリ１０７に蓄積し、蓄積された画像データを参照し、表面マークの位置の検出を行う（Ｓ４）。つまり、マーク検出部１０１ｃが表面のマーク位置の検出を行う。そして、全体制御部１０１は、マーク検出部１０１ｃによって検出された表のマーク位置（座標）のデータを、表裏位置ずれ検出部１０１ｄに送り、表裏位置ずれ検出部１０１ｄのメモリ内に格納する。
【００４２】
そして、全体制御部１０１は、裏面のマークの濃度のピークレベルが所定値（例えば５０レベル）以上か否かを判断する（Ｓ５）。もし、裏面のマーク部の濃度レベルが所定値より小さい場合には、全体制御部１０１は、シートを読み取る際の光量を前回より大きくして、再度シートの読取を行う（Ｓ６）。このシートの読取動作は裏面のマークの濃度レベルが所定値以上となるまで繰り返される。全体制御部１０１は、裏面のマークの濃度レベルのピークが所定値以上となったら読取動作を終了し、マーク検出部１０１ｃによるマーク位置の検出を行う（Ｓ７）。
【００４３】
本実施形態の画像形成装置では、裏面のマークの位置検出が可能な濃度レベルは、検討の結果、ピーク値での濃度レベルが５０レベル以上であれば、裏面のマークを検出可能であった。従って、前述の濃度レベル２００（第１の基準値）以下で５０以上の範囲で濃度レベルがピークとなる位置を検出すれば裏面のマークの位置を検出できる。
【００４４】
調整モードで使用するシートとして坪量１０６ｇ／ｍ２紙を用い、通常のコピー時やスキャン時の光量である５万ｌｕｘでマークが形成されたシートを読み取った場合には、裏側のマークの濃度レベルがピーク値で、２０レベルしか得られなかった。一方、２倍の光量である１０万ｌｕｘで読み取りを行った場合、裏側のマーク濃度レベルは図８の破線のように、６０レベルとなり、裏側のマークの濃度レベルがピークとなる位置の検出が可能となった。濃度レベルがピークとなる位置がマークの中心位置であると判断される。ここで、光量を上げていくと、図８の破線のように、表側のマークの読取データはレベルの飽和を起こし、ピーク位置の検出が出来なくなる場合がある。このような場合に対応できるように、本実施形態では、表側のマーク検出に際しては、通常の光量で読み取りを行い、表側のマークの濃度レベルがピークとなる位置の検出を行う。
【００４５】
そして、画像メモリ１０７に蓄積された画像データを用いて、マーク検出部１０１ｃが裏側のマーク位置の検出を行う（Ｓ７）。なお、１回目の通常光量で読み取った画像データと、光量をアップした２回目以降の読取動作で読み取った画像データとを画像メモリ１０７に保存しておき、一括に処理して表裏のマーク位置の検出を行っても良い。
【００４６】
さらに、このマーク検出部１０１ｃによって検出された表と裏のマーク位置（座標）を参照し、表裏位置ずれ検出部１０１ｄが、表面のマークに対する裏面のマークの位置ずれの量を検出する（Ｓ８）。なお、表裏ぞれぞれのマークに対して、形成されたマークの位置および本来形成されるべき位置に対するずれの量を検出しても良い。
【００４７】
以上のようにして検出されたマークの位置およびその位置における位置ずれを参照し、表裏ずれ調整部１０１ｅは、表裏のずれに含まれるシフトずれ、斜行ずれ、倍率ずれを求め、表裏のマークの位置を一致させるための調整値を算出する（Ｓ９）。そして、表裏ずれ調整部１０１ｅは、このずれ調整値を制御部１０１ａに伝えると共に、不揮発性メモリ１０５に格納する（Ｓ１０）。
【００４８】
以上により表裏位置ずれの調整モードを完了する。続いて、操作表示部１０３から像形成開始の指示が入力されると、画像形成が行われる。
【００４９】
このとき、シートの両面への画像形成が選択されていれば、全体制御部１０１は不揮発性メモリ１０５に記憶された調整値を参照し、像形成部７０を制御する。即ち、制御部１０１ａは、表裏のずれに含まれるシフト（平行移動、斜行）ずれと倍率ずれを補正すべく、周知の方法で画像形成開始位置，主走査倍率および副走査倍率を調整した状態で画像形成を実行する。具体的には、画像形成開始位置に関しては、画像データの出力タイミングを調整し、副走査倍率に関しては、走査光学系のミラー、レンズの角度・位置を調整し、主走査倍率に関しては、画像データやクロックを調整する。
【００５０】
なお、位置調整用のマークの位置および個数は上述した実施の形態の位置・個数に限定されるものではない。
【００５１】
以上説明したように、本実施形態では、位置調整モードで位置調整用マークが形成されたシートを読み取る際の光量を、シートの裏面のマークの濃度レベルがピークとなる位置の検出が可能となるまで増加させる。従って、従来は厚紙などで、シートの表面からすかして裏面のマークを検出する際の濃度レベルの不足により濃度のピーク位置の検出ができなかった課題を解消することができる。これにより、厚紙に対しても、表裏の画像の位置調整を容易に行うことができる。
【００５２】
（第２の実施の形態）
第１の実施の形態では、位置調整用のシートに、位置調整用のマークのみ印字していた。第２の実施の形態では、シートの裏面に更に濃度レベルチェック用のマークを形成する。表面には濃度レベルチェック用のマークは形成されない。この濃度レベルチェック用のマークは、図９のように、シートの裏面の位置調整用のマークと同じ濃度で、別の位置に形成される。本実施形態では×印を使用している。
【００５３】
表と裏の位置調整用のマークの位置が完全に一致していることにより裏面のマークが検出できなくなる場合と、使用したシートの厚さが厚すぎることにより裏面のマークが検出できなくなる場合とを区別するために、濃度レベルチェック用のマークが形成される。
【００５４】
第２の実施形態における位置調整モードについて図１０のフローチャートを用いて説明する。図１０のフローチャートに示す処理は全体制御部１０１が実行する。
【００５５】
まず、全体制御部１０１は、位置調整モードが選択されたか否かを判断する（Ｓ２１）。位置調整モードが選択されると、全体制御部１０１は、図９に示すテストパターンをシートの両面に形成させる（Ｓ２２）。第１の実施形態と同様に、テストパターンが記録されたシートをユーザがスキャナにセットし、読取開始指示が入力されると、基準の光量（例えば通常のコピー時の原稿露光光量）でスキャンを実行してシートのマークを読み取る（Ｓ２３）。
【００５６】
全体制御部１０１は、第１の実施形態と同様に表面の位置調整用のマークの検出を行うとともに、スキャン回数を示すカウンタを０にセットする（Ｓ２４）。更に、全体制御部１０１は、この読取動作で裏面の濃度レベルチェック用のマークが検出されたか否かを判断する（Ｓ２５）。濃度レベルチェック用のマークが検出されれば、裏面の位置調整用のマークの検出を行う。１回目のスキャン時に、裏側の濃度レベルチェック用のマークが検出処理へ進む。一方、濃度レベルチェック用のマークが検出されない時は、全体制御部１０１は、スキャン回数のカウンタが５以下であれば、シートを読み取るときの光量を所定量増加させ、再読取を行う（Ｓ２６，Ｓ２７）。このとき、全体制御部１０１はスキャン回数のカウンタを１つカウントアップする。全体制御部１０１は、裏側の濃度レベルチェック用のマークが検出されるまで、光量を増加させてスキャンすることを繰り返す。そして、裏側の濃度レベルチェック用のマークが検出された時点で、裏面の位置検出用のマークの検出を行う。全体制御部１０１は、スキャン回数のカウンタが５より大きくなっても濃度レベルチェック用のマークが検出されない時は、給紙カセット５０に普通紙をセットするように、操作部にメッセージを出す（Ｓ２８）。即ち、増加後の光量が予め決定した上限値になっても濃度レベルチェック用のマークが検出されない場合は、使用したシートの厚さが厚すぎることになる。
【００５７】
濃度レベルチェック用のマークが検出された場合、読取手段の光量は裏面の位置調整用のマークも検出できる光量になっているはずである。従って、第１の実施形態の様な、裏面の位置調整用のマークの濃度レベルが所定値以上になるまで読取手段の光量を上げる制御は行なわない。
【００５８】
そこで、濃度レベルチェック用のマークが検出された場合、全体制御部１０１は、シートの裏面の位置調整用のマークが検出されたか否かを判断する（Ｓ２９）。この判断は、表面の位置調整用マークの濃度よりも低い濃度でピークが存在しているか否かにより行われる。即ち、裏側の濃度レベルチェック用のマークが検出されるにもかかわらず、裏面の位置調整用のマークが検出できない場合は、表裏の位置調整用のマークが形成された位置が一致しており、全くずれていないと判断できる。
【００５９】
裏面の位置調整用のマークが検出できた場合は、図４のフローチャートのステップ７以降と同様なので説明を省略する。
【００６０】
（第３の実施の形態）
次に、本発明の第３の実施形態について、図１１のフローチャートを用いて説明する。
【００６１】
まず、あらかじめ画像形成装置の各給紙カセットごとに、シートの材質に関する情報、例えば坪量の情報がユーザによって登録されているものとする。例えば、給紙カセットごとに、普通紙（６４〜１０５ｇ／ｍ２）、厚紙１（１０６〜１６３ｇ／ｍ２）、厚紙２（１６４〜２０９ｇ／ｍ２）などの情報が登録されているものとする。本実施形態では、上段の給紙カセットには普通紙、下段の給紙カセットには厚紙２がセットされているものとする。
【００６２】
まず、第１の実施形態と同様に、全体制御部１０１は、調整モードが選択されたか否かを判断する（Ｓ３１）。調整モードが選択されると、全体制御部は、画像形成装置の各給紙カセットのうち、坪量が一番小さいシートが収納してある給紙部を選択する（Ｓ３２）。例えば、前述の様に、普通紙と厚紙２がセットされている場合は、普通紙が最も坪量の低い用紙となるので、上段の給紙カセットが選択される。全体制御部１０１は、選択された給紙部に登録されているシートの坪量が所定値（例えば普通紙の上限値である１０５ｇ／ｍ２）以下であるか否かを判断する（Ｓ３３）。選択された給紙部のシートの坪量が所定値よりも大きければ、全体制御部１０１は、所定値以下の坪量のシート（普通紙）をセットすることを操作表示部１０３に表示し、ユーザにシートの交換を促す（Ｓ３４）。
【００６３】
一方、Ｓ３３でシートの坪量が所定値以下であれば、第１の実施形態と同様に、シートにテストパターンを形成させる（Ｓ３５）。これ以降の処理は図４のステップＳ３以降の処理と同様なので説明を省略する。
【００６４】
第３の実施の形態によれば、位置調整用のマークを形成する際に、画像形成装置内にセットされた、最も坪量の低い用紙を使用するので、裏側のマークの濃度が所定値以上となるまで光量を増加させてスキャン動作を繰り返すことが防止できる。従って、画像位置調整に要する時間が短縮される。
【００６５】
更に、坪量が所定値以下のシートがセットされていなければ、ユーザにシートのセットを促すので、確実に調整動作を行うことができる。
【００６６】
なお、上記の各実施形態では、画像形成装置のスキャナを用いてテストパターンが形成されたシートを読み取ったが、画像形成装置のシートの搬送路にラインセンサと光源を配置して、このラインセンサでテストパターンを読み取る構成でも良い。
【図面の簡単な説明】
【００６７】
【図１】画像形成装置の機械的な構成を示す構成図である。
【図２】図１の画像形成ステーションの詳細を示す構成図である。
【図３】画像形成装置の電気的な構成を示す機能ブロック図である。
【図４】第１の実施の形態における位置調整モードの処理を示すフローチャートである。
【図５】記録シート上に形成された位置調整用のマークを示す説明図である。
【図６】記録シート上に形成された位置調整用のマークを示す説明図である。
【図７】図６の位置調整用マーク部分を拡大した説明図である。
【図８】読み取った位置調整用マークの濃度レベルを示す説明図である。
【図９】第２の実施形態における記録シート上に形成された位置調整用のマークを示す説明図である。
【図１０】第２の実施の形態における位置調整モードの処理を示すフローチャートである。
【図１１】第３の実施の形態における位置調整モードの処理を示すフローチャートである。
【符号の説明】
【００６８】
１００  画像形成装置
１０１  全体制御部
１０１ａ  制御部
１０１ｂ  画像処理部
１０１ｃ  マーク検出部
１０１ｄ  表裏位置ずれ検出部
１０１ｅ  表裏ずれ調整部
１０３  操作表示部
１０４  スキャナ
１０５  不揮発性メモリ
１０７  画像メモリ
１０８  プリントエンジン
【図１】
2008275991.tif 000003
【図２】
2008275991.tif 000004
【図３】
2008275991.tif 000005
【図４】
2008275991.tif 000006
【図５】
2008275991.tif 000007
【図６】
2008275991.tif 000008
【図７】
2008275991.tif 000009
【図８】
2008275991.tif 000010
【図９】
2008275991.tif 000011
【図１０】
2008275991.tif 000012
【図１１】
2008275991.tif 000013